(57)【要約】      （修正有）【課題】複数の扉を一枚一枚施錠を確認する必要がなく、扉の施錠を一斉に行うことができる簡単な構成のインターロック制御装置を提供する。【解決手段】電気錠を収容することが可能な複数の回線に、それぞれ所定の回線より扉の開閉の検出及び所定の回線に対して施解錠の要求の内いずれか一方を設定することが可能な複数のラインを有し、各回線と各ラインとの間に、回線より扉の開閉の検出か、回線に対して施解錠の要求かを排他的に選択可能な選択部がそれぞれ設けられたインターロック基板４１を有し、電気錠を収容することが可能な複数の回線の内、電気錠を収容しない回線を設け、当該回線の内、扉の開閉に応じた信号が入力される線に、扉の開閉に応じた信号と同様の信号を出力する施解錠部を接続し、当該回線と各ラインとの間の選択部の内、施解錠部により電気錠の施解錠を制御する回線に対応する選択部に対し、前記施解錠の要求となるように選択している。【選択図】図２
2016191291.tif 000002
【特許請求の範囲】
【請求項１】
電気錠を収容することが可能な複数の回線に、それぞれ所定の回線より扉の開の検出及び所定の回線に対して施錠の要求のうちいずれか一方を設定することが可能な複数のラインを有し、各回線と各ラインとの間に、回線より扉の開の検出か、回線に対して施錠の要求かを排他的に選択可能な選択部がそれぞれ設けられたインターロック基板を有し、
電気錠を収容することが可能な複数の回線のうち、電気錠を収容しない回線を設け、
当該回線のうち扉の開に応じた信号が入力される線に、扉の開に応じた信号と同様の信号を出力する施錠部を接続し、
当該回線と各ラインとの間の選択部のうち、施錠部により電気錠の施錠を制御する回線に対応する選択部に対し、前記施錠の要求となるように選択した
インターロック制御装置。
【請求項２】
請求項１に記載のインターロック制御装置であって、
前記施解錠部は、外部カードリーダ部と、外部カードリーダ部でのカードの読み取りに応じて、前記回線のうち扉の開に応じた信号が入力される線に、扉の開に応じた信号と同様の信号を出力する信号出力部とを有する
インターロック制御装置。
【請求項３】
請求項１又は請求項２に記載のインターロック制御装置であって、
前記選択部による選択は、外部より目視で確認できるようになっている
インターロック制御装置。
【発明の詳細な説明】
【技術分野】
【０００１】
本発明は、電気錠に用いられるインターロック制御装置に関する。
【背景技術】
【０００２】
電気錠に用いられるインターロック制御とは、例えば２枚の扉が同時に開くことがないように２個の電気錠を制御することをいい、例えばクリーンルームの出入り口や病院の隣接する個室でのトイレの共有の場合に用いられる（非特許文献１参照）。研究所や工場などの施設では、多数の扉に対してインターロック制御が行われる場合もある。例えば、これらの施設においては、１つの扉が開いているときに、他の複数の扉が開くことがないような制御が行われる。
【０００３】
このようなインターロック制御では、例えば各扉の電気錠を制御する操作盤を用いて、１つの扉が開いているときに当該扉の電気錠より開扉を検出し、これをトリガーとして、開かないことが要求される扉の電気錠に対して施錠を要求する。
【先行技術文献】
【非特許文献】
【０００４】
【非特許文献１】http://dcs.mediapress-net.com/iportal/CatalogViewInterfaceStartUpAction.do?method=startUp&mode=PAGE&catalogId=5304900000&pageGroupId=1&volumeID=MIW10001&designID=LINK_MIW   ＷｅｂカタログＰ６２９
【発明の概要】
【発明が解決しようとする課題】
【０００５】
ところで、通常、研究所や工場などのさまざまな施設では、外部扉を施錠することでセキュリティーを確保しているが、更に例えば外部扉とインターロック制御がされている内部扉を施錠することでその内部扉より内側のセキュリティーをより向上させることができる。
【０００６】
しかし、外部扉と内部扉を施錠できるような構成は、インターロック制御とは無関係であるので、退室時に外部扉と内部扉の一枚一枚について施錠を確認する必要があり、非常に煩わしいという課題がある。
【０００７】
以上のような事情に鑑み、本発明の目的は、インターロック制御がされる複数の扉を一枚一枚施錠を確認する必要がなく、扉の施錠を一斉に行うことができ、しかもそれを簡単な構成で実現できるインターロック制御装置を提供することにある。
【課題を解決するための手段】
【０００８】
上記課題を解決するため本発明に係るインターロック制御装置は、電気錠を収容することが可能な複数の回線に、それぞれ所定の回線より扉の開の検出及び所定の回線に対して施錠の要求のうちいずれか一方を設定することが可能な複数のラインを有し、各回線と各ラインとの間に、回線より扉の開の検出か、回線に対して施錠の要求かを排他的に選択可能な選択部がそれぞれ設けられたインターロック基板を有し、電気錠を収容することが可能な複数の回線のうち、電気錠を収容しない回線を設け、当該回線のうち扉の開に応じた信号が入力される線に、扉の開に応じた信号と同様の信号を出力する施錠部を接続し、当該回線と各ラインとの間の選択部のうち、施錠部により電気錠の施錠を制御する回線に対応する選択部に対し、前記施錠の要求となるように選択したものである。
【０００９】
本発明の一形態に係るインターロック制御装置では、前記施解錠部は、外部カードリーダ部と、外部カードリーダ部でのカードの読み取りに応じて、前記回線のうち扉の開に応じた信号が入力される線に、扉の開に応じた信号と同様の信号を出力する信号出力部とを有する。
【００１０】
本発明の一形態に係るインターロック制御装置では、前記選択部による選択は、外部より目視で確認できるようになっている。
【００１１】
また、本発明の一形態に係るインターロック制御装置は、電気錠を収容することが可能な複数の回線に、それぞれ所定の回線より扉の開閉の検出及び所定の回線に対して施解錠の要求のうちいずれか一方を設定することが可能な複数のラインを有し、各回線と各ラインとの間に、回線より扉の開閉の検出か、回線に対して施解錠の要求かを排他的に選択可能な選択部がそれぞれ設けられたインターロック基板を有し、電気錠を収容することが可能な複数の回線のうち、電気錠を収容しない回線を設け、当該回線のうち扉の開閉に応じた信号が入力される線に、扉の開閉に応じた信号と同様の信号を出力する施解錠部を接続し、当該回線と各ラインとの間の選択部のうち、施解錠部により電気錠の施解錠を制御する回線に対応する選択部に対し、前記施解錠の要求となるように選択したものである。
これにより、施錠と同様に解錠も行うことができる。
【００１２】
ここで、前記施解錠部は、外部カードリーダ部と、外部カードリーダ部でのカードの読み取りに応じて、前記回線のうち扉の開閉に応じた信号が入力される線に、扉の開に応じた信号と同様の信号と、扉の閉に応じた信号と同様の信号とを順次切り替えて出力する信号出力部とを有するものであってもよい。
【発明の効果】
【００１３】
本発明によれば、インターロック制御がされる複数の扉を一枚一枚施錠を確認する必要がなく、扉の施錠を一斉に行うことができ、しかもそれを簡単な構成で実現できる。
【図面の簡単な説明】
【００１４】
【図１】本発明の一実施形態に係るインターロック制御装置の構成示す概略図である。
【図２】操作盤とカードリーダの概略構成を示す図である。
【図３】図２に示したＵハーネス及びインターロック基板の構成を示す回路図である。
【図４】本発明の一実施形態に係るシステムにおける日中運用の一例を示す図である。
【図５】本発明の一実施形態に係るシステムにおける夜間運用の一例を示す図である。
【発明を実施するための形態】
【００１５】
以下、図面を参照しながら、本発明の実施形態を説明する。
図１は本発明の一実施形態に係るインターロック制御装置の構成示す概略図である。
【００１６】
同図に示すように、このシステムは、３つのＡ、Ｂ、Ｃ扉１０の電気錠２０に対してインターロック制御を実現するものであり、電気錠２０との間の３つの回線（１回線〜３回線）３０−１〜３０−３を収容する操作盤４０を備える。この操作盤４０は、４つの回線を収容可能であるが、３つの回線を収容し、残りの１つは回線を収容していない。なお、本発明に係るインターロック制御装置は、収容する回線数はこれに限定されず、また収容しない回線数もこれに限定されない。
【００１７】
ここでは、３つのＡ、Ｂ、Ｃ扉１０のうち、例えばＡ扉１０は外扉、Ｂ扉及びＣ扉１０は内扉である。勿論、例えばＡ扉１０は内扉、Ｂ扉及びＣ扉１０は外扉等であっても構わない。
【００１８】
Ａ扉１０の外側近傍には、外側よりＡ、Ｂ、Ｃ扉１０をまとめて施解錠するための操作が行なわれる外部カードリーダ部としての外部カードリーダ制御器５０が外付けで取り付けられている。Ａ扉１０などが解錠された状態から外部カードリーダ制御器５０でカードを照合するとＡ、Ｂ、Ｃ扉１０がまとめて施錠され、その状態から外部カードリーダ制御器５０でカードを照合するとＡ、Ｂ、Ｃ扉１０がまとめて解錠されるようになっている。
【００１９】
図２は操作盤４０と外部カードリーダ制御器５０の概略構成を示している。また、図３はＵハーネス及びインターロック基板の構成を示す回路図であり、実質的に正面から見た外観図でもある。
【００２０】
図２に示すように、操作盤４０は、Ｕハーネス４２Ａ〜４２Ｃ及びインターロック基板４１を有する。３つのＵハーネス４２Ａ〜４２Ｃは、それぞれ３つのＡ、Ｂ、Ｃ扉１０の電気錠２０の制御部（図示せず。）に接続される。
【００２１】
図３に示すように、インターロック基板４１は、直流電源が印加された８本のライン４７と、選択部４７０と、４つの並列ハーネス４４Ａ〜４４Ｄと、リレー４５Ａ〜４５Ｄとを有する。
【００２２】
各Ｕハーネス４２Ａ〜４２Ｃは、３×３で９個の端子を有する。ここで、それぞれの端子を１番端子〜９番端子と呼ぶ。ここでは、５番端子と６番端子との間が接続で電気錠２０が解錠、５番端子と６番端子との間が開放で電気錠２０が施錠となる。４つの並列ハーネス４４Ａ〜４４Ｄは、１×４で４個の端子を有する。これぞれの端子を１番端子〜４番端子と呼ぶ。
【００２３】
４つの並列ハーネス４４Ａ〜４４Ｄのうち３つの並列ハーネス４４Ａ〜４４Ｃは、それぞれ配線４３Ａ〜４３Ｃを介して、Ｕハーネス４２Ａ〜４２Ｃの４番端子が並列ハーネス４４Ａ〜４４Ｃの４番端子、Ｕハーネス４２Ａ〜４２Ｃの５番端子が並列ハーネス４４Ａ〜４４Ｃの２番端子、Ｕハーネス４２Ａ〜４２Ｃの６番端子が並列ハーネス４４Ａ〜４４Ｃの３番端子、Ｕハーネス４２Ａ〜４２Ｃの７番端子が並列ハーネス４４Ａ〜４４Ｃの１番端子に接続されている。
【００２４】
ここでは、回線３０−１〜３０−３に接続された電気錠２０のＡ、Ｂ、Ｃ扉１０が開扉するとそれぞれＵハーネス４２Ａ〜４２Ｃの４番端子がＨｉｇｈ（所定の電圧）となり、並列ハーネス４４Ａ〜４４Ｃの４番端子がＨｉｇｈ（所定の電圧）となり、Ａ、Ｂ、Ｃ扉１０が閉扉するとそれぞれＵハーネス４２Ａ〜４２Ｃの４番端子がＬｏｗ（０Ｖ）となり、並列ハーネス４４Ａ〜４４Ｃの４番端子がＬｏｗ（０Ｖ）となるようにされている。
【００２５】
４つの並列ハーネス４４Ａ〜４４Ｄのうち１つの並列ハーネス４４Ｄは、Ｕハーネスには接続されずに、すなわち回線を収容するために用いられず、外部カードリーダ制御器５０による外部からの施解錠を行うために用いられる。並列ハーネス４４Ｄの４番端子は、信号出力部としてのスイッチ回路１５０に接続されている。スイッチ回路１５０は、例えばＢＡＮ−Ｙ・ＲＯ＃（美和ロック株式会社製の商品名）により構成される。スイッチ回路１５０は、入力側に外部カードリーダ制御器５０が接続され、出力側に並列ハーネス４４Ｄの４番端子が接続され、Ｕハーネス４２Ｄより給電されるものである。なお、符号１５１は、コネクタである。
【００２６】
ここで、外部カードリーダ制御器５０がメイクされる、すなわちＡ扉１０が解錠された状態から外部カードリーダ制御器５０でカードが照合されると、スイッチ回路１５０の出力側が０Ｖとなり、並列ハーネス４４Ｄの４番端子が０Ｖ（Ｌｏｗ）となる。また、その状態から外部カードリーダ制御器５０でカードが照合されると、すなわちブレイクされると、スイッチ回路１５０の出力側が所定の電圧（例えば２４Ｖ）となり、並列ハーネス４４Ｄの４番端子に所定の電圧が印加されるようになっている。
【００２７】
選択部４７０は、第１の短絡端子４７１と、第２の短絡端子４７２と、第３の短絡端子４７３とを有する。選択部４７０では、短絡ピン４６を使って、第１の短絡端子４７１と第２の短絡端子４７２とを短絡させるか、第２の短絡端子４７２と第３の短絡端子４７３とを短絡させるかを排他的に選択できるようになっている。このような短絡ピン４６の設定は、図３に示すとおりに、人が正面から目視により認識できるようになっている。
【００２８】
リレー４５Ａ〜４５Ｃは、入力側が選択部４７０における第３の短絡端子４７３にダイオードＤ１を介して接続され、出力側で並列ハーネス４４Ａ〜４４Ｃの２番端子と３番端子との間の解放−クローズの切り替えを行う。すなわち、ライン４７に所定の電圧が印加されると、ライン４７から第２の短絡端子４７２、短絡ピン４６、第３の短絡端子４７３を介してリレー４５Ａ〜４５Ｃに電圧が印加され、リレー４５Ａ〜４５ＤがＯＮし、並列ハーネス４４Ａ〜４４Ｃの２番端子と３番端子との間が解放となり、回線３０に接続された電気錠２０が解錠される。一方、ライン４７が０Ｖになると、ライン４７から第２の短絡端子４７２、短絡ピン４６、第３の短絡端子４７３を介してリレー４５Ａ〜４５Ｃは０Ｖとなり、リレー４５Ａ〜４５ＤがＯＦＦし、並列ハーネス４４Ａ〜４４Ｃの２番端子と３番端子との間がクローズとなり、回線３０に接続された電気錠２０が施錠される。
【００２９】
第１の短絡端子４７１はダイオードＤ２を介して並列ハーネス４４Ａ〜４４Ｄの４番端子に接続されている。並列ハーネス４４Ａ〜４４Ｃの４番端子は、配線４３Ａ〜４３Ｃを介してＵハーネス４２Ａ〜４２Ｃの４番端子に接続されており、このＵハーネス４２Ａ〜４２Ｃの４番端子は接続された回線３０の電気錠２０の扉１０が開扉するとＨｉｇｈとなり、扉１０が閉扉するとＬｏｗとなるように設定されている。従って、扉１０が開扉すると、第１の短絡端子４７１はＨｉｇｈ、扉１０が閉扉すると、第１の短絡端子４７１はＬｏｗとなるように設定されている。
【００３０】
本実施形態では、インターロック基板４１は、図３に示したように、Ａ扉を開くとＢ扉及びＣ扉が閉じ、Ｂ扉を開くとＣ扉及びＡ扉が閉じ、Ｃ扉を開くとＡ扉及びＢ扉が閉じるように、選択部４７０において短絡ピン４６の短絡がされている。
【００３１】
そして、本実施形態では、外部からの施解錠を行うために、回線が設定いない４回線部分に対応し、かつ、下から1番目〜3番目の選択部４７０において、第２の短絡端子４７２と第１の短絡端子４７１とが短絡ピン４６によって短絡されている。
【００３２】
この状態で、例えば１回線３０−１に対応する電気錠２０のＡ扉１０が開扉されると、１回線３０−１における第１の短絡端子４７１がＨｉｇｈとなり、これに短絡ピン４６を介して接続された第２の短絡端子４７２がＨｉｇｈとなり、下から二番目及び三番目のライン４７がＨｉｇｈとなる。これにより、２回線３０−２及３回線３０−３に所定の電圧が印加され、リレー４５Ｂ及びリレー４５ＣがＯＮし、並列ハーネス４４Ｂ及び４４Ｃの２番端子と３番端子との間が解放となり、２回線３０−２及３回線３０−３に接続されたＢ扉及びＣ扉１０の電気錠２０が解錠される。
【００３３】
一方、例えば１回線３０−１に対応する電気錠２０のＡ扉１０が閉扉されると、１回線３０−１における第１の短絡端子４７１がＬｏｗとなり、これに短絡ピン４６を介して接続された第２の短絡端子４７２がＬｏｗとなり、下から二番目及び三番目のライン４７がＬｏｗ（０Ｖ）になる。これにより、２回線３０−２及３回線３０−３とがＬｏｗとなり、リレー４５Ｂ及び４５ＣがＯＦＦし、並列ハーネス４４Ｂ及び４４Ｃの２番端子と３番端子との間がクローズとなり、２回線３０−２及３回線３０−３に接続されたＢ扉及びＣ扉１０の電気錠２０が施錠される。
Ｂ扉及びＣ扉の開扉及び閉扉に関しても同様にインターロック制御が行われる。
【００３４】
ここで、外部カードリーダ制御器５０がメイクされる、すなわちＡ扉１０が解錠された状態から外部カードリーダ制御器５０でカードが照合されると、スイッチ回路１５０の出力側が０Ｖとなり、並列ハーネス４４Ｄの４番端子が０Ｖ（Ｌｏｗ）となる。これにより、下から一番目〜三番目のライン４７がＬｏｗ（０Ｖ）になり、リレー４５Ａ〜４５ＣがＯＦＦし、並列ハーネス４４Ａ〜４４Ｃの２番端子と３番端子との間がクローズとなり、１回線３０−１〜３回線３０−３に接続されたＡ扉〜Ｃ扉１０の電気錠２０が施錠される。
【００３５】
また、このように施錠された状態から外部カードリーダ制御器５０でカードが照合されると、すなわちブレイクされると、スイッチ回路１５０の出力側が所定の電圧（例えば２４Ｖ）となり、並列ハーネス４４Ｄの４番端子に所定の電圧が印加される。これにより、下から一番目〜三番目のライン４７がＨｉｇｈ（所定の電圧）になり、リレー４５Ａ〜４５ＣがＯＮし、並列ハーネス４４Ａ〜４４Ｃの２番端子と３番端子との間が開放となり、１回線３０−１〜３回線３０−３に接続されたＡ扉〜Ｃ扉１０の電気錠２０が解錠される。
【００３６】
図４は、このようなシステムにおける日中運用の一例を示す図である。
通常、待機時（Ａ扉、Ｂ扉、Ｃ扉の全てが閉扉の時）、全ての扉（Ａ扉〜Ｃ扉１０）は解錠されている（図４（ａ））。これが初期状態である。
ここで、Ａ扉１０を開扉すると、Ｂ扉１０及びＣ扉１０は施錠される（図４（ｂ））。この状態から、Ａ扉１０を閉扉すると、初期状態に戻る。
また、Ｂ扉１０を開扉すると、Ａ扉１０及びＣ扉１０は施錠される（図４（ｃ））。この状態から、Ｂ扉１０を閉扉すると、初期状態に戻る。
同様に、Ｃ扉１０を開扉すると、Ａ扉１０及びＢ扉１０は施錠される（図４（ｄ））。この状態から、Ｃ扉１０を閉扉すると、初期状態に戻る。
なお、操作盤４０が所定の報知器（図示せず）などから火災信号を入力すると、一斉解錠し、インターロック制御をしなくなる（図４（ｅ））。そして、例えば、火災信号が切れ、全ての扉（Ａ扉〜Ｃ扉１０）が閉扉するとインターロック制御に戻る。
【００３７】
図５は、このようなシステムにおける夜間運用の一例を示す図である。
夜間運用時には、外部カードリーダ制御器５０でカード１５２が照合されると、全ての扉（Ａ扉〜Ｃ扉１０）が一斉施錠され、インターロック制御しなくなる（図５（ａ））。
この状態より再度外部カードリーダ制御器５０でカード１５２が照合されると、全ての扉（Ａ扉〜Ｃ扉１０）が一斉解錠され、図４（ａ）に示した日中運用における初期状態に戻る（図５（ｂ））。
【００３８】
従って、本実施形態に係るインターロックシステムでは、インターロック制御がされる複数の扉を一枚一枚施錠を確認する必要がなく、扉の施解錠を例えば外部より一斉に行うことができる。従って、例えば夜間退出時等の最終退出でカードリーダを通すと、インターロック制御されている扉が全て施錠される。インターロック制御された扉は外部扉であるから、インターロック制御とは無関係に施錠できることで、セキュリティーを確保できる。また、インターロック制御された扉が外部扉でなくても、このシステムでは、内部扉を一枚一枚施錠を確認する必要がないので、セキュリティーの確保に寄与する。
【００３９】
また、本実施形態に係るインターロックシステムでは、従来からある汎用のインターロック基板を用いて、扉の施解錠を例えば外部より一斉に行うことができるので、構成が非常に簡単である。
【００４０】
更に、図３に示したように、選択部で短絡ピンを使ってインターロック制御等を任意に設定でき、このような短絡ピンの設定は、人が正面から目視により認識できるようになっているので、インターロック制御等を含めて設定パターンを容易に把握でき、設定パターンの変更を容易に行うことができる。
【００４１】
なお、本発明は、上記実施形態には限定されることはなく、本発明の技術的思想の範囲内で適宜変形して実施することができ、その実施の範囲も本発明の技術的範囲に属するものである。
【符号の説明】
【００４２】
１０  扉
２０  電気錠
３０−１〜３０−３  回線
４０  操作盤
４１  インターロック基板
４２Ａ〜４２Ｄ  Ｕハーネス
４４Ａ〜４４Ｄ  並列ハーネス
４７  ライン
１５０  外部カードリーダ制御器
４７０  選択部
【図１】
2016191291.tif 000003
【図２】
2016191291.tif 000004
【図３】
2016191291.tif 000005
【図４】
2016191291.tif 000006
【図５】
2016191291.tif 000007